(57)【要約】本発明は、電子ディスプレイ（１）から電子ペーパー（３）に画像（２）をコピーする方法及び装置に係る。電子ペーパー（３）は、コピー動作を実施するよう電子ディスプレイ（１）の範囲（６）に対して有される。また、電子ディスプレイ（１）は、範囲（６）の境界線を確定する識別手段、コピー動作を開始するよう前出の装置において有されるコピー設定ボタン、ディスプレイ（１）とペーパー（３）との間にワイヤレス接続を確立する回路、及び、電子ペーパー（３）の電子ディスプレイ（１）の範囲（６）において有される画像（２）のディスプレイに対して画像情報を電子ペーパー（３）に送るよう電子ディスプレイ（１）の範囲（６）から画像情報を読み込むプロセッサを有する。
2008516292.tif 000002
【特許請求の範囲】
【請求項１】
クロスポイントマトリクスにおいて配置される光表示素子を有する電子ペーパーに電子ディスプレイから画像をコピーする方法であって：
・  前記電子ディスプレイからのコピーを要求するよう前記電子ディスプレイを設定する段階と、
・  前記電子ディスプレイと前記電子ペーパーとの間にワイヤレス接続を確立する段階と、
・  電子ペーパーを前記電子ディスプレイに対して置く段階と、
・  前記電子ペーパーを有してコピーされるべき前記画像を有する範囲の少なくとも一部分上で前記電子ディスプレイをカバーする段階と、
・  コピーされるべき前記範囲の境界線を前記電子ディスプレイにおいて識別する段階と、
・  コピー動作が実行されるよう要求する段階と、
・  前記電子ディスプレイにおいて、コピーされるべき前記範囲に対する画像情報を有するデータを処理する段階と、
・  前記ワイヤレス接続を用いて、前記画像情報を前記電子ディスプレイから前記電子ペーパーに送る段階と、
・  前記クロスポイントマトリクスにおいて配置される前記光表示素子を用いて、前記電子ディスプレイの前記範囲を満たす前記画像のコピーを前記電子ペーパー上に表示する段階と、
を有する、
方法。
【請求項２】
・  前記コピーされるべき範囲を前記範囲として識別する段階、
を更に有し、
前記範囲は、コピー動作の要求が実行されるまでコピー動作中のいずれの時点においても、電子ペーパーによって覆われる、
請求項１記載の方法。
【請求項３】
・  前記電子ペーパーにおいて有されるメモリにおいて、前記電子ペーパー上の前記画像の後の表示に対して前記画像情報を格納する段階、
を更に有する請求項１記載の方法。
【請求項４】
・  前記電子ディスプレイにおいて、フォント及びレイアウト等の意味情報を前記電子ペーパーの特徴に対して適合させるよう前記画像情報を処理する段階、
を更に有する、
請求項１記載の方法。
【請求項５】
・  前記画像情報をアナログビデオ信号又はデジタル画像信号として与える段階、
を更に有する、
請求項１記載の方法。
【請求項６】
前記ディスプレイにおいて有される光検出素子を用いて、コピーされるべき前記ディスプレイの前記範囲の識別を実施する段階、
を更に有する、
請求項１記載の方法。
【請求項７】
前記電子ペーパーによって覆われている前記半において前記ディスプレイの周囲の電磁界の変化の検出を用いて、コピーされるべき前記ディスプレイの前記範囲の前記識別を実施する段階、
を更に有する、
請求項１記載の方法。
【請求項８】
前記ディスプレイの既知のパターンにおいて与えられるマイクロビーコンを用いて、コピーされるべき前記ディスプレイの前記範囲の前記識別を実施する段階、
を更に有する、
請求項１記載の方法。
【請求項９】
前記電子ペーパー上に表示されるべき画像のコピーを、前記電子ディスプレイの前記画像上に与えられる発光素子のロウ及びカラムの水平方向及び垂直方向に関して、前記電子ディスプレイ上で表示される前記画像と位置合わせをする段階、
を更に有する、
請求項１記載の方法。
【請求項１０】
少なくとも数秒間、前記電子ディスプレイのウィンドウ上において、電子ペーパー上に表示される通り画像のコピーを表示する段階、
を更に有する、
請求項１記載の方法。
【請求項１１】
前記ディスプレイのスクリーンのクロスポイントマトリクスにおいて配置される光検出素子を有し、前記電子ディスプレイから前記電子ペーパーへの画像のコピーを実施するよう、前記スクリーンに対して有される電子ペーパーを受けるようにする、電子ディスプレイであって、
前記電子ディスプレイと前記電子ペーパーとの間にワイヤレス接続を確立するよう前記電子ディスプレイにおいて有されるトランスミッタ及びレシーバ回路と、前記電子ペーパーによって覆われる前記スクリーンの範囲の境界線を確定する識別手段と、前記ワイヤレス接続を用いて前記電子ペーパーに対して前記データを送るよう前記スクリーンの前記範囲上に表示される画像を表すデータを読み込むプロセッサとを有する、ことを特徴とする、
電子ディスプレイ。
【請求項１２】
前記識別手段は、光検出素子を有する、
請求項１１記載の電子ディスプレイ。
【請求項１３】
前記識別手段は、電磁界変化検出手段を有する、
請求項１１記載の電子ディスプレイ。
【請求項１４】
前記識別手段は、前記ディスプレイの既知の手段において与えられるマイクロビーコンを有する、
請求項１１記載の電子ディスプレイ。
【請求項１５】
前記電子ペーパーの面上のクロスポイントマトリクスにおいて配置され、また、前記電子ペーパーの前記面が前記電子ディスプレイの前記スクリーンに対して有される際に、電子ディスプレイのスクリーンからの画像のコピーを実施するよう適合される光表示素子を有する電子ペーパーであって、
・  前記電子ディスプレイと前記電子ペーパーとの間にワイヤレス接続を確立するよう前記電子ペーパーにおいて有されるトランシーバ回路と、
・  前記トランシーバ回路から前記電子ディスプレイ上で前記画像を表すデータを受け、前記電子ペーパーの前記面上で前記画像を再確立する回路における処理手段と、
を備えられる、ことを特徴とする、
電子ペーパー。
【請求項１６】
前記トランシーバ回路は、前記電子ペーパーに一体的にされる、
請求項１５記載の電子ペーパー。
【請求項１７】
前記電子ペーパーは、後の場合における前記画像の表示に対して前記画像を表すデータを格納するメモリを有する、
請求項１５記載の電子ペーパー。
【発明の詳細な説明】
【技術分野】
【０００１】
本発明は、単純に電子ペーパーをディスプレイに対して向かい合わせて置くことによる、電子ペーパーとディスプレイとの間における画像、テキスト等の容易な移動に係る。
【背景技術】
【０００２】
ディスプレイの前方において且つディスプレイに面して置かれている紙をスキャンする能力を有する感光性のディスプレイは、近年提案されてきている。これは、例えば電子ペーパーからディスプレイまでテキスト及び画像を移動させる可能性を提供するが、その逆は提供されない。ディスプレイ（光検出ポリＬＥＤスクリーン等）は、ディスプレイが組み込まれるところのテーブルの形状、壁に取り付けられる大きなディスプレイ、又は、（ＰＤＡ又はラップトップの一部分としての）携帯用ディスプレイの形状であり得る。
【０００３】
本願に記載される電子ペーパーは、一例として、一般的な印刷技術の組合せを使用して、良質紙又は紙に類似する製品上で達成されるアクティブマトリクスディスプレイを有し得る。アクティブマトリクスディスプレイは、マトリクスディスプレイ素子を個別に制御するトランジスタスイッチを有し、該スイッチは、クロスポイントマトリクスにおける各ディスプレイ素子のアドレッシングを与える。レターサイズのマトリクスディスプレイは、実証されている（一例は、２００４年４月、Ｓｏｎｙ  Ｃｏｒｐ．社発売の電子書籍である。該電子書籍は、凸版印刷社、フィリップス社、ソニー社、及びイーインク社の共同研究の結果としてのものである）。ペーパーマトリクスディスプレイ技術は、広告、更新可能な情報ポスター、及びスマートパッケージングコンセプト等における表示媒体として紙の既存の使用を拡大し得る。
【０００４】
ＥＰ  ０  １３１  ３４２（特許文献１）は、２つの透明な電極間に挟まれた電気泳動サスペンションを有する感光性フォトコンダクタを記載する。光画像（ｌｉｇｈｔ  ｉｍａｇｅ）は、該フォトコンダクタ上に光画像を投射することによってフォトコンダクタ上に得られ得る。フォトコンダクタ上へと画像を書き込むレーザ及びＣＲＴモニタから画像を記録するビデオ装置は、薄く、レター書式であり得るフォトコンダクタ上においてＣＲＴに表示される画像のコピーを達成することを可能にする。
【０００５】
該特許文献１において使用される技術は、ＬＥＤ又はＬＣＤスクリーン等の他の種類のディスプレイからの画像のコピーに対しては使用され得ない。
【特許文献１】ＥＰ  ０  １３１  ３４２
【発明の開示】
【発明が解決しようとする課題】
【０００６】
本発明は、ＬＥＤ、ＬＣＤ、又はポリＬＥＤスクリーン等の電子ディスプレイから電子ペーパーに画像をコピーする装置及び方法を与える、ことを１つの目的とする。特には、電子ペーパーからスクリーンへ、スクリーンから電子ペーパーへの両方向において画像をコピーする装置及び方法を与える、ことは有利である。
【課題を解決するための手段】
【０００７】
本発明の一態様によれば、独立方法請求項において特定される方法が開示される。
【０００８】
本発明の更なる態様によれば、独立装置請求項において特定される電子ディスプレイ及び電子ペーパーが開示される。
【０００９】
本願中、電子ディスプレイは画像を表示するようスクリーンを備えられる、ことが理解される。更に、本願中、電子ペーパーは電子ペーパーにおいて有される面上に画像を表示する、ことが定義付けられる。更に本願中では、電子ディスプレイのスクリーンは電子ペーパーの該面より大きな範囲（ａｒｅａ）を有する、と考えられる。
【００１０】
電子ディスプレイに対して取り付けられるプロセッサは、フォント及びレイアウト等の意味情報を電子ペーパーの特徴に対して適合させるよう画像情報を有するデータを処理する。データはデジタル形式で送られるため、該プロセッサは、画像情報が電子書籍上に表示される方途を適合させるよう使用され得る。したがってこのようにして、電子ペーパーの識別された範囲上に最終的に示されるフォント以外のフォントは、含まれるテキストの可読性等のコピーされる範囲の画像を向上させるよう使用され得る。電子ペーパーの面上に示される画像のレイアウトは、電子ペーパーと電子ディスプレイとの間に確立されたワイヤレス接続においてレイアウト情報が与えられる場合に向上され得る。いずれの装置もデジタル形式において情報を有するため、電子ディスプレイと電子ペーパーとの間の情報交換は、より高い意味レベルで与えられ得る。故に、例えばコピーされる範囲に有される情報がワード文書又はワードファイルの一部である場合、電子ペーパーに対して送られる情報の少なくとも一部分は、ワードファイルとして、またコピーされるべき範囲において存在する他のファイル形式をプロセッサが識別する場合は対応する方途において、送られ得る。
【００１１】
電子ディスプレイのプロセッサは更に、小さな歪曲（スキュー）に関してコピーされた画像を調整し得る。該歪曲は、電子ペーパーの不正確な位置合わせによってもたらされる。かかる不正確な位置合わせは、電子ペーパーのクロスポイントマトリクスのカラム及びロウが電子ディスプレイのスクリーンのクロスポイントマトリクスの対応するカラム及びライン（ｌｉｎｅｓ）に関して傾いているため、もたらされる。修正は、電子ディスプレイ上で覆われる範囲をかかる極限座標上に角部を有する矩形に変形するよう、電子ペーパーに対してコピーされる範囲の夫々のライン及びロウの極限座標（最低座標及び最高座標）をコピーすることによって実施され得る。
【００１２】
電子書籍として与えられ得る電子ペーパーから先行技術において既知であるディスプレイにコピーする際、ディスプレイ上で可視である画像をレンダリングするプロセッサは、画像の処理において有されなければならない。原理上、同一の技術は、ディスプレイの光検出能力を電子ペーパーとディスプレイとの間のワイヤレス接続の使用と組み合わせることによって、本発明に従ったコピーを実現するよう使用され得る。かかる場合、電子ディスプレイにおけるプロセッサは、画像をディスプレイ上で可視であるようにする。電子ペーパー上での格納又は使用に対する表示される画像のコピーが、ディスプレイ上にも表示される場合に、同等の動作が実施されなければならない。このことは、コピー動作が成功裏に実行されたことの確認をユーザに与えるために、例えば別個のウィンドウにおいて、ディスプレイが少なくとも数秒間（例えば２秒より長く）コピーされた範囲を自動的に表示するよう設定される場合に望まれ得る。この確認コピーに対する画像情報を有するデータは、ディスプレイに内蔵される何らかのローカル記憶装置において格納され得る。他の可能性は、適切な記憶装置上に確認コピーに対するデータを格納することである。
【００１３】
ディスプレイから電子ペーパーにコピーされるべき範囲の境界線の識別は、ディスプレイの感光性素子を用いて実施される一実施例に従う。電子ペーパーによって覆われるディスプレイの範囲は、識別及び確定され得る。
【００１４】
本発明の上述された実施例は、ディスプレイが光検出機能を有する、と仮定する。ディスプレイの前に有される電子ペーパーの面の位置を確定する他の方途は、電界の影響を使用することであり、電子ペーパーがディスプレイ上で実施する。電子ペーパーは、ディスプレイの周囲の電磁界に影響を与える。電子ペーパーがディスプレイの周囲の電磁界に影響を与え得る方途に関連するその特徴（寸法等）を送るよう設定される場合、またディスプレイが光検出機能を有さない場合でも、ディスプレイは、本発明の態様に従ったコピー動作に対して使用され得る。電磁界の変化の検出は、例えば電子ディスプレイのスクリーンの角部上に位置付けられる電磁界センサを用いて与えられ得る。
【００１５】
更なる一実施例では、ディスプレイは、複数のマイクロビーコンを備えられ、電子ペーパーは、ディスプレイの前方においてその正確な位置を確定するよう使用され得る。該マイクロビーコンは、ディスプレイにわたって既知のパターンにおいて与えられ、前出の認識に対して電子ペーパーによって使用される。
【００１６】
本願中に記載される電子ディスプレイは、ディスプレイがここに記載された全ての実施例の光検出機能を有することを前提として、電子ペーパーに対して使用されるものと同一又は同様の種類のディスプレイであり得る。
【００１７】
電子ペーパー上の前出の画像の後の表示に対して前出の画像情報を有するデータを格納するメモリは、電子ペーパー上に与えられる電子回路において有される。
【００１８】
本発明の使用によってもたらされる有利点は、電子ディスプレイと電子ペーパーとの間の容易且つ直観的なコピーの提供である。
【発明を実施するための最良の形態】
【００１９】
本発明のこれらの及び他の態様は、以下に説明される実施例を参照して明らかに説明される。
【００２０】
本願は、固定電子機器と携帯用電子機器との間で情報の受け渡しが必要である際に特に便利である。
【００２１】
本発明に従った方法を実施する複数の実施例は、添付の図面を参照して以下に説明される。
【００２２】
図１は、テーブルの形状であり得る電子ディスプレイ１（光検出ポリＬＥＤスクリーン等）を開示する。該ディスプレイには、壁に取り付けられる大型ディスプレイ又は（ＰＤＡ又はラップトップの一部分としての）携帯型ディスプレイが組み入れられる（ｉｎｃｏｒｐｏｒａｔｅｄ）。電子ディスプレイ１のスクリーン上には、画像２が示される。本発明に従った目的は、電子ディスプレイ１から電子ペーパー３に画像２をコピーすることである。電子ペーパー３は、電子ディスプレイ１とのワイヤレス接続を確立するようトランシーバ回路１３を有する回路４を備えられる。オプションとして、電子ペーパーは、前出の画像データを格納するようメモリ８を備えられ得る。メモリ８は、有利には回路４において有され得る。
【００２３】
電子ディスプレイ１は更にプロセッサ５を備えられる。該プロセッサは、電子ディスプレイを監視する別個のプロセッサであり得、図中、ユニット５ａにおいて収容されるよう示される。あるいは、プロセッサ５は、電子ディスプレイがユニットであるコンピュータのプロセッサにおいて有され得る。
【００２４】
コピー動作を開始するよう電子ペーパー３は、図２中に示される通り、コピーされるべき画像２が電子ペーパー１によって覆われるよう電子ディスプレイ１に対して有される。電子ペーパー３は通常、画像２の範囲より広い範囲６を覆う。図１中では電子ペーパーによって覆われる範囲６の境界線は、破線を用いて示される。
【００２５】
コピー動作が開始される際、これは、トリガ機器を用いてオーダされる。該トリガ機器は、例えば回路４において有されるタッチボタンの形状における電子ペーパーに有されるコピー設定ボタン９として実施され得る。あるいは、コピー設定ボタン１０は、電子ディスプレイ１のユニット５ａにおいて有され得る。更なる代替案は、コピー動作を始動させるワイヤレス制御ボタンを使用することである。コピー動作が実施される寸前に、操作者は、該コピー動作がコピー設定ボタンと同様にして与えられ得るコピーボタン１１，１２を押すことによって実行されるよう、求める。
【００２６】
ここで、本発明に従った画像２をコピーする手順が段階毎に説明される。電子ペーパー３は、少なくとも画像２が電子ペーパー３によって覆われるよう電子ディスプレイ１を有するスクリーンに対して有される。これは、電子ペーパー３が画像２によって占められる範囲より大きな範囲６を覆う、ことを意味する。コピー動作は、コピー設定ボタン９，１０を押すことによって実施されるようトリガされる。かかるトリガは、電子ペーパーと電子ディスプレイとの間にワイヤレス接続を確立する。該ワイヤレス接続は、電子ペーパー１の回路４において有されるトランシーバ回路１３によって実施される。電子ディスプレイ１において、ワイヤレス接続を実施するようトランスミッタ及びレシーバ回路１３を有する対応する機器は、始動される。かかるトランスミッタ及びレシーバ回路は、本例においてはユニット５ａ中に収容される。ワイヤレス接続は、参照符号１７によって図２中に概略的に示される。
【００２７】
プロセッサ５は、電子ペーパー３によって覆われる範囲６の識別を開始する。これは、上述された通り並びに以下の更なる実施例において、多種の方途において実施され得る。該識別は、範囲６の境界線の座標の確定を有する。電子ペーパー３が電子ディスプレイ１の境界線に対して歪曲され得るため、範囲６の角部の確定は、位置のずれが修正されて実施され得る。ディスプレイ上に示される画像は通常、ライン及びカラムのマトリクスの交差点において配置されるピクセルによって形成される。プロセッサ５が、ディスプレイ１の範囲６において有されるマトリクスの水平方向に位置合わせされた交差点の最低及び最高座標、更にはディスプレイ１の範囲６において有されるマトリクスの垂直方向に位置合わせされた交差点の最低及び最高座標を示すことによって範囲６の角部を検出する場合には、範囲６において有される正確に位置合わせされた画像が形成される。プロセッサ５は、続いて、範囲６において表示される完全な像に対する情報を有する画像データを読み込み得る。画像情報は続いて、確立されたワイヤレス通信リンク７を介して電子ペーパー３のトランシーバ回路１４に対して送られる。画像は続いて、電子ペーパーのディスプレイを監視する回路４を用いて制御される電子ペーパーの面上にすぐに表示され得る。メモリ８が回路４に対して接続される記憶装置として電子ペーパー３において有される際、画像２はその後、画像が電子ペーパー３の面上に示されるべき時の制御を用いて電子ペーパー３上に表示される。
【００２８】
他の一実施例によれば、更に、感光性ディスプレイが電子ペーパー１によって覆われる範囲６の外側の境界線を定め、また、プロセッサ５が該境界線の周囲にフレームを加えるよう配置される。続いて、範囲６及び該フレームをいずれも有するディスプレイの部分は、該範囲及びフレームにおいて有されるテキスト及び画像の異なる色等の他のスタイルにおいてディスプレイ１に表された画像／テキストを示すよう、プログラムされ得る。このようにして、電子ペーパーがディスプレイのスクリーン上で動かされる際、該電子ペーパーは、電子ペーパーによって覆われる範囲及び該範囲の周囲のフレームに色付けしているかのように機能する。この実施例の使用により、プロセッサが電子ペーパーによって覆われる範囲の内容及びフレームを読み込むよう配置される、ことは有利である。電子ペーパーによって覆われる範囲のみより広い範囲６は、電子ペーパーに対してコピーされる。この実施例の使用により、コピーされるべき範囲６を視覚的に識別することが更に容易であるため、ユーザが本発明に従ってコピーすることが更に単純化される。コピーされるべき所望の範囲６がそれ自体を識別することをユーザが視覚的に観察する際、ユーザは、コピーされるべき所望の範囲が実際に定められる際にコピー動作の開始を求めることができる。
【００２９】
更なる一実施例では、電子ペーパー３のディスプレイ範囲上で使用可能な範囲より更に広い範囲が、電子ディスプレイ１から電子ペーパー３にコピーされる。該実施例では、電子ペーパー３を電子ディスプレイ１のスクリーン上で動かすこと、またそれによって電子ペーパー３が前述されたようにコピーされるべき範囲の色付けをすることは、可能である。この機能は、プロセッサ５が、電子ペーパー３を有する「色付け」動作中のどの時点においても、電子ディスプレイ１上で画像を生成するクロスポイントマトリクスにおけるピクセルの最低座標（ライン及びカラム）を格納し、同様にして電子ペーパー３の角部によって電子ディスプレイ１のスクリーン上で覆われる又は触れられる範囲に対して対応するピクセルの最高座標（ライン及びカラム）を格納するように、達成され得る。コピーされる実範囲６は故に、説明されたクロスポイント上に位置付けられる２つの対向する角部によって表される矩形である。これは当然のことながら、コピーされるべき画像を要素ディスプレイ１上に表示されるスケールより更に小さいスケールで電子ペーパー３上において再現すること、に繋がる。スケーリングは、プロセッサ５を用いて実施される。更なる代替案として、コピーされる材料の一部のみは電子ペーパー上で視覚化され、材料の特定の部分が視覚化されるよう調整する可能性を与える。
【００３０】
更なる一実施例によれば、ディスプレイ１のスクリーン上の検出素子は、スクリーンの周囲の「色付け」動作中に電子ペーパーによって本当に覆われる範囲のみを検出する。
【００３１】
両極角部は、本明細書及び請求項において、コピーされるべき範囲６の２つの対向する角部の座標を指すよう使用される。該角部は、
・  電子ペーパー３のスクリーンの２つの対向する角部、あるいは、
・  電子ペーパーの周囲に配置されるフレームを有する電子ペーパーのスクリーンによって形成される矩形の、２つの対向する角部、あるいは、
・  マトリクスのクロスポイント上に位置付けられる２つの対向する角部によって形成される矩形の２つの角部、
のうちいずれかであり得る。該マトリクスは、ａ）最低ライン及びカラムの座標、及び、ｂ）電子ペーパー３の周囲に動かされる電子ディスプレイ上で色付けされる範囲６の最高ライン及びカラムの座標、を有する。
【００３２】
図中、光検出素子１５は、電子ディスプレイのスクリーン上でロウ及びラインに配置されるクロスによって表される。同一のクロスはまた、マイクロビーコン１６を図示するよう使用され、該ビーコンが使用される際にその位置を示すようにする。電磁界センサ１７は、電子ディスプレイ１の角部において示され、かかるセンサが使用される際のその位置を示す。素子１５及び１６は、明確にするよう図１中のスクリーンの一部においてのみ図示される。実際には、かかる素子１５及び１６は、スクリーンの全範囲にわたって配置される。
【００３３】
電子ペーパー３と電子ディスプレイ１との間のワイヤレス接続７は、標準的に使用可能な技術を使用し、ディスプレイ１及び電子ペーパー４の両方に組み込まれなければならない。
【００３４】
電子ディスプレイ１の光検出機能が本願において高解像度を有する、ことは求められない。電子ペーパーがディスプレイに対して有される際にディスプレイの光検出素子が電子ペーパーの境界線を確定し得る、ことで十分である。
【００３５】
更には、ディスプレイに対して取り付けられるコンピュータがコピー動作に関与されない、ことは留意されるべきである。電子ディスプレイ１に求められるのは、ワイヤレス接続及びコピーされるべき範囲６を明確にする何らかの配置に対する手段、並びに、範囲６の画像データの読み出しの制御に対する手段を備えられる、ことである。これは全て、別個のプロセッサ５によって実現され得る。しかしながら、代替案として、範囲６の認識及び範囲６において存在する情報の読み出しは、電子ディスプレイ１に対して取り付けられるプロセッサ５と、電子ペーパーの回路４において一体的にされるプロセッサとの間の通信によって実施され得る。
【００３６】
プロセッサ５は当然のことながら、前述された通り、電子ペーパー３に対して送られたビデオ情報の意味（ｓｅｍａｎｔｉｃｓ）を監視するプログラムを備えられ得る。電子ペーパー３は、コピー要求信号等において、所望されるフォント及び／又はレイアウトに対する要求を有し得る。
【００３７】
《本願中で使用される用語の定義》
電子ディスプレイは、ＬＥＤスクリーン、ＬＣＤスクリーン、及びポリＬＥＤスクリーン等の発光素子を使用するか、あるいは対応するディスプレイ技術を用いて実施される、スクリーンであり、光検出機能を与えられる。電子ディスプレイは、該ディスプレイがここで説明される実施例の光検出機能を備えられることを前提として、電子ペーパーに対して使用されるものと同一又は同様の種類のディスプレイでもあり得る。
【図面の簡単な説明】
【００３８】
【図１】画像が電子ディスプレイから電子ペーパーにコピーされる際のコピー手順を概略的に開示する。
【図２】電子機器の範囲にわたって電子装置に対して有され、コピーされるべき画像を少なくとも覆う、電子ペーパーを概略的に図示する。
【図１】
2008516292.tif 000003
【図２】
2008516292.tif 000004
【国際調査報告】
2008516292.tif 000005
2008516292.tif 000006
2008516292.tif 000007